(57)【要約】  本出願の実施例は、電力制御方法、端末機器およびネットワーク機器を開示し、前記方法は、端末機器が、ネットワーク機器によって送信された、物理アップリンク共有チャネル（ＰＵＳＣＨ）をスケジューリングするために使用されるダウンリンク制御情報（ＤＣＩ）を受信することであって、前記ＤＣＩは、第１のサウンディング参照信号（ＳＲＳ）リソース指示を含むことと、前記端末機器が、前記ＤＣＩに従って、前記第１のＳＲＳリソース指示に対応するアップリンク電力制御パラメータの値を決定することと、前記端末機器が、前記第１のＳＲＳリソース指示に対応するアップリンク電力制御パラメータの値に従って、前記ＰＵＳＣＨによって搬送された、前記第１のＳＲＳリソース指示に対応する第１のアップリンクデータの実際の送信電力を決定することとを含む。本出願の実施例の方法、端末機器およびネットワーク機器は、より高いスペクトル効率に達するのに有益である。
2021514563.tif 000002
【特許請求の範囲】
【請求項１】
電力制御方法であって、
端末機器が、ネットワーク機器によって送信された、物理アップリンク共有チャネル（ＰＵＳＣＨ）をスケジューリングするために使用されるダウンリンク制御情報（ＤＣＩ）を受信することであって、前記ＤＣＩは、第１のサウンディング参照信号（ＳＲＳ）リソース指示を含むことと、
前記端末機器が、前記ＤＣＩに従って、前記第１のＳＲＳリソース指示に対応するアップリンク電力制御パラメータの値を決定することと、
前記端末機器が、前記第１のＳＲＳリソース指示に対応するアップリンク電力制御パラメータの値に従って、前記ＰＵＳＣＨによって搬送された、前記第１のＳＲＳリソース指示に対応する第１のアップリンクデータの実際の送信電力を決定することとを含むことを特徴とする、前記電力制御方法。
【請求項２】
前記端末機器が前記ＤＣＩを受信する前に、前記方法は、
前記端末機器が、前記ネットワーク機器によって送信された第１の構成情報を受信することであって、前記第１の構成情報は、前記第１のＳＲＳリソース指示の値とアップリンク電力制御パラメータの値の対応関係を指示することをさらに含み、
前記端末機器が、前記ＤＣＩに従って、前記第１のＳＲＳリソース指示に対応するアップリンク電力制御パラメータの値を決定することは、
前記端末機器が、前記ＤＣＩに含まれる前記第１のＳＲＳリソース指示の値、および前記対応関係に従って、前記第１のＳＲＳリソース指示に対応するアップリンク電力制御パラメータの値を決定することを含むことを特徴とする、
請求項１に記載の電力制御方法。
【請求項３】
前記端末機器が、前記ＤＣＩに従って、前記第１のＳＲＳリソース指示に対応するアップリンク電力制御パラメータの値を決定することは、
前記端末機器が、前記ＤＣＩに従って、前記第１のＳＲＳリソース指示に対応する最大送信電力の値を決定することを含み、
前記端末機器が、前記アップリンク電力制御パラメータの値に従って、前記ＰＵＳＣＨによって搬送された、前記第１のＳＲＳリソース指示に対応する第１のアップリンクデータの実際の送信電力を決定することは、
前記端末機器が、前記第１のＳＲＳリソース指示に対応する最大送信電力の値に従って、前記第１のアップリンクデータの実際の送信電力を決定することを含むことを特徴とする、
請求項１に記載の電力制御方法。
【請求項４】
前記端末機器が、前記ＤＣＩに従って、前記第１のＳＲＳリソース指示に対応する最大送信電力の値を決定することは、
前記端末機器が、前記ＤＣＩに含まれるＳＲＳリソース指示の数に従って、前記第１のＳＲＳリソース指示に対応する最大送信電力の値を決定することを含むことを特徴とする、
請求項３に記載の電力制御方法。
【請求項５】
前記端末機器が、前記ＤＣＩに従って、前記第１のＳＲＳリソース指示に対応する最大送信電力の値を決定することは、
前記端末機器が、前記ＤＣＩに含まれる前記第１のＳＲＳリソース指示によって指示されたＳＲＳリソースの数に従って、前記第１のＳＲＳリソース指示に対応する最大送信電力の値を決定することを含むことを特徴とする、
請求項３に記載の電力制御方法。
【請求項６】
前記端末機器が、前記第１のＳＲＳリソース指示に対応するアップリンク電力制御パラメータの値に従って、前記ＰＵＳＣＨによって搬送された、前記第１のＳＲＳリソース指示に対応する第１のアップリンクデータの実際の送信電力を決定することは、
前記端末機器が、前記第１のＳＲＳリソース指示に対応するアップリンク電力制御パラメータの値に従って、前記第１のアップリンクデータの初期送信電力を決定することと、
前記端末機器が、前記第１のアップリンクデータの初期送信電力、前記ＰＵＳＣＨによって搬送されたアップリンクデータの総初期送信電力および前記端末機器のアップリンク最大送信電力に従って、前記第１のアップリンクデータの実際の送信電力を決定することとを含むことを特徴とする、
請求項１または２に記載の電力制御方法。
【請求項７】
前記ＤＣＩは、第２のＳＲＳリソース指示をさらに含み、前記第１のＳＲＳリソース指示および前記第２のＳＲＳリソース指示は、独立したアップリンク電力制御パラメータの値にそれぞれ対応することを特徴とする、
請求項１ないし６のいずれか一項に記載の電力制御方法。
【請求項８】
前記端末機器がネットワーク機器によって送信された前記ＤＣＩを受信する前に、前記方法は、
前記端末機器が、前記ネットワーク機器によって送信された第２の構成情報を受信することであって、前記第２の構成情報は、前記第２のＳＲＳリソース指示の値に対応するアップリンク電力制御パラメータの値を指示し、前記第２のＳＲＳリソース指示の値に対応するアップリンク電力制御パラメータの値および前記第１のＳＲＳリソース指示の値に対応するアップリンク電力制御パラメータの値は、前記ネットワーク機器によって独立して構成されることをさらに含むことを特徴とする、
請求項６に記載の電力制御方法。
【請求項９】
前記アップリンク電力制御パラメータは、アップリンクデータの送信電力を決定するために使用されるパスロス値、または前記パスロス値を測定するために使用されるダウンリンク信号の情報を含むことを特徴とする、
請求項１ないし８のいずれか一項に記載の電力制御方法。
【請求項１０】
前記アップリンク電力制御パラメータは、開ループ電力制御パラメータおよび／または閉ループ電力制御パラメータを含むことを特徴とする、
請求項１ないし９のいずれか一項に記載の電力制御方法。
【請求項１１】
前記第１のアップリンクデータは、前記ＰＵＳＣＨによって搬送されるデータの一部であることを特徴とする、
請求項１ないし１０のいずれか一項に記載の電力制御方法。
【請求項１２】
前記方法は、
前記端末機器が、前記実際の送信電力に従って、前記ネットワーク機器に前記第１のアップリンクデータを送信することをさらに含むことを特徴とする、
請求項１ないし１１のいずれか一項に記載の電力制御方法。
【請求項１３】
電力制御方法であって、
端末機器が第１のサウンディング参照信号（ＳＲＳ）リソース指示に対応するアップリンク電力制御パラメータの値に従って、物理アップリンク共有チャネル（ＰＵＳＣＨ）によって搬送された、前記第１のＳＲＳリソース指示に対応する第１のアップリンクデータの実際の送信電力を決定するために、ネットワーク機器が、前記ＰＵＳＣＨをスケジューリングするために使用されるダウンリンク制御情報（ＤＣＩ）を前記端末機器に送信することであって、前記ＤＣＩは、前記第１のＳＲＳリソース指示を含み、前記ＤＣＩは、前記端末機器が前記第１のＳＲＳリソース指示に対応するアップリンク電力制御パラメータの値を決定するために使用されることを含むことを特徴とする、前記電力制御方法。
【請求項１４】
前記ネットワーク機器が前記ＤＣＩを前記端末機器に送信する前に、前記方法は、
前記ネットワーク機器が、第１の構成情報を前記端末機器に送信することであって、前記第１の構成情報は、前記第１のＳＲＳリソース指示の値とアップリンク電力制御パラメータの値の対応関係を指示することをさらに含むことを特徴とする、
請求項１３に記載の電力制御方法。
【請求項１５】
前記ＤＣＩは、第２のＳＲＳリソース指示をさらに含み、前記第１のＳＲＳリソース指示および前記第２のＳＲＳリソース指示は、独立したアップリンク電力制御パラメータの値にそれぞれ対応することを特徴とする、
請求項１３または１４に記載の電力制御方法。
【請求項１６】
前記ネットワーク機器が前記ＤＣＩを前記端末機器に送信する前に、前記方法は、
前記ネットワーク機器が、第２の構成情報を前記端末機器に送信することであって、前記第２の構成情報は、前記第２のＳＲＳリソース指示の値に対応するアップリンク電力制御パラメータの値を指示し、前記第２のＳＲＳリソース指示の値に対応するアップリンク電力制御パラメータの値および前記第１のＳＲＳリソース指示の値に対応するアップリンク電力制御パラメータの値は、前記ネットワーク機器によって独立して構成されることをさらに含むことを特徴とする、
請求項１５に記載の電力制御方法。
【請求項１７】
前記アップリンク電力制御パラメータは、アップリンクデータの送信電力を決定するために使用されるパスロス値、または前記パスロス値を測定するために使用されるダウンリンク信号の情報を含むことを特徴とする、
請求項１３ないし１６のいずれか一項に記載の電力制御方法。
【請求項１８】
前記アップリンク電力制御パラメータは、開ループ電力制御パラメータおよび／または閉ループ電力制御パラメータを含むことを特徴とする、
請求項１３ないし１７のいずれか一項に記載の電力制御方法。
【請求項１９】
前記第１のアップリンクデータは、前記ＰＵＳＣＨによって搬送されるデータの一部であることを特徴とする、
請求項１３ないし１８のいずれか一項に記載の電力制御方法。
【請求項２０】
前記方法は、
前記ネットワーク機器が、端末機器が前記実際の送信電力に基づいて送信した前記第１のアップリンクデータを受信することをさらに含むことを特徴とする、
請求項１３ないし１９のいずれか一項に記載の電力制御方法。
【請求項２１】
端末機器であって、
ネットワーク機器によって送信された物理アップリンク共有チャネル（ＰＵＳＣＨ）をスケジューリングするために使用されるダウンリンク制御情報（ＤＣＩ）を受信するように構成される第１の受信ユニットであって、前記ＤＣＩは、第１のサウンディング参照信号（ＳＲＳ）リソース指示を含む第１の受信ユニットと、
前記ＤＣＩに従って、前記第１のＳＲＳリソース指示に対応するアップリンク電力制御パラメータの値を決定するように構成される第１の決定ユニットと、
前記第１のＳＲＳリソース指示に対応するアップリンク電力制御パラメータの値に従って、前記ＰＵＳＣＨによって搬送された、前記第１のＳＲＳリソース指示に対応する第１のアップリンクデータの実際の送信電力を決定するように構成される第２の決定ユニットとを含むことを特徴とする、前記端末機器。
【請求項２２】
前記端末機器は、
前記第１の受信ユニットが前記ＤＣＩを受信する前に、前記ネットワーク機器によって送信された第１の構成情報を受信するように構成される第２の受信ユニットであって、前記第１の構成情報は、前記第１のＳＲＳリソース指示の値とアップリンク電力制御パラメータの値の対応関係を指示する第２の受信ユニットをさらに含み、
前記第１の決定ユニットは、具体的に、
前記ＤＣＩに含まれる前記第１のＳＲＳリソース指示の値、および前記対応関係に従って、前記第１のＳＲＳリソース指示に対応するアップリンク電力制御パラメータの値を決定するように構成されることを特徴とする、
請求項２１に記載の端末機器。
【請求項２３】
前記第１の決定ユニットは、具体的に、
前記ＤＣＩに従って、前記第１のＳＲＳリソース指示に対応する最大送信電力の値を決定するように構成され、
前記第２の決定ユニットは、具体的に、
前記第１のＳＲＳリソース指示に対応する最大送信電力の値に従って、前記第１のアップリンクデータの実際の送信電力を決定するように構成されることを特徴とする、
請求項２１に記載の端末機器。
【請求項２４】
前記第１の決定ユニットは、具体的に、
前記ＤＣＩに含まれるＳＲＳリソース指示の数に従って、前記第１のＳＲＳリソース指示に対応する最大送信電力の値を決定するように構成されることを特徴とする、
請求項２３に記載の端末機器。
【請求項２５】
前記第１の決定ユニットは、具体的に、
前記ＤＣＩに含まれる前記第１のＳＲＳリソース指示によって指示されたＳＲＳリソースの数に従って、前記第１のＳＲＳリソース指示に対応する最大送信電力の値を決定するように構成されることを特徴とする、
請求項２３に記載の端末機器。
【請求項２６】
前記第２の決定ユニットは、具体的に、
前記第１のＳＲＳリソース指示に対応するアップリンク電力制御パラメータの値に従って、前記第１のアップリンクデータの初期送信電力を決定し、
前記第１のアップリンクデータの初期送信電力、前記ＰＵＳＣＨによって搬送されたアップリンクデータの総初期送信電力および前記端末機器のアップリンク最大送信電力に従って、前記第１のアップリンクデータの実際の送信電力を決定するように構成されることを特徴とする、
請求項２１または２２に記載の端末機器。
【請求項２７】
前記ＤＣＩは、第２のＳＲＳリソース指示をさらに含み、前記第１のＳＲＳリソース指示および前記第２のＳＲＳリソース指示は、独立したアップリンク電力制御パラメータの値にそれぞれ対応することを特徴とする、
請求項２１ないし２６のいずれか一項に記載の端末機器。
【請求項２８】
前記端末機器は、
前記第１の受信ユニットが前記ＤＣＩを受信する前に、前記ネットワーク機器によって送信された第２の構成情報を受信するように構成される第３の受信ユニットであって、前記第２の構成情報は、前記第２のＳＲＳリソース指示の値に対応するアップリンク電力制御パラメータの値を指示し、前記第２のＳＲＳリソース指示の値に対応するアップリンク電力制御パラメータの値および前記第１のＳＲＳリソース指示の値に対応するアップリンク電力制御パラメータの値は、前記ネットワーク機器によって独立して構成される第３の受信ユニットをさらに含むことを特徴とする、
請求項２７に記載の端末機器。
【請求項２９】
前記アップリンク電力制御パラメータは、アップリンクデータの送信電力を決定するために使用されるパスロス値、または前記パスロス値を測定するために使用されるダウンリンク信号の情報を含むことを特徴とする、
請求項２１ないし２８のいずれか一項に記載の端末機器。
【請求項３０】
前記アップリンク電力制御パラメータは、開ループ電力制御パラメータおよび／または閉ループ電力制御パラメータを含むことを特徴とする、
請求項２１ないし２９のいずれか一項に記載の端末機器。
【請求項３１】
前記第１のアップリンクデータは、前記ＰＵＳＣＨによって搬送されるデータの一部であることを特徴とする、
請求項２１ないし３０のいずれか一項に記載の端末機器。
【請求項３２】
前記端末機器は、
前記実際の送信電力に従って、前記ネットワーク機器に前記第１のアップリンクデータを送信するように構成される送信ユニットをさらに含むことを特徴とする、
請求項２１ないし３１のいずれか一項に記載の端末機器。
【請求項３３】
ネットワーク機器であって、
端末機器が第１のサウンディング参照信号（ＳＲＳ）リソース指示に対応するアップリンク電力制御パラメータの値に従って、物理アップリンク共有チャネル（ＰＵＳＣＨ）によって搬送された、前記第１のＳＲＳリソース指示に対応する第１のアップリンクデータの実際の送信電力を決定するために、前記ＰＵＳＣＨをスケジューリングするために使用されるダウンリンク制御情報（ＤＣＩ）を前記端末機器に送信するように構成される第１の送信ユニットであって、前記ＤＣＩは、前記第１のＳＲＳリソース指示を含み、前記ＤＣＩは、前記端末機器が前記第１のＳＲＳリソース指示に対応するアップリンク電力制御パラメータの値を決定するために使用される第１の送信ユニットを含むことを特徴とする、前記ネットワーク機器。
【請求項３４】
前記ネットワーク機器は、
前記第１の送信ユニットが前記ＤＣＩを送信する前に、第１の構成情報を前記端末機器に送信するように構成される第２の送信ユニットであって、前記第１の構成情報は、前記第１のＳＲＳリソース指示の値とアップリンク電力制御パラメータの値の対応関係を指示する第２の送信ユニットをさらに含むことを特徴とする、
請求項３３に記載のネットワーク機器。
【請求項３５】
前記ＤＣＩは、第２のＳＲＳリソース指示をさらに含み、前記第１のＳＲＳリソース指示および前記第２のＳＲＳリソース指示は、独立したアップリンク電力制御パラメータの値にそれぞれ対応することを特徴とする、
請求項３３または３４に記載のネットワーク機器。
【請求項３６】
前記ネットワーク機器は、
前記第１の送信ユニットが前記ＤＣＩを送信する前に、第２の構成情報を前記端末機器に送信するように構成される第３の送信ユニットであって、前記第２の構成情報は、前記第２のＳＲＳリソース指示の値に対応するアップリンク電力制御パラメータの値を指示し、前記第２のＳＲＳリソース指示の値に対応するアップリンク電力制御パラメータの値および前記第１のＳＲＳリソース指示の値に対応するアップリンク電力制御パラメータの値は、前記ネットワーク機器によって独立して構成される第３の送信ユニットをさらに含むことを特徴とする、
請求項３５に記載のネットワーク機器。
【請求項３７】
前記アップリンク電力制御パラメータは、アップリンクデータの送信電力を決定するために使用されるパスロス値、または前記パスロス値を測定するために使用されるダウンリンク信号の情報を含むことを特徴とする、
請求項３３ないし３６のいずれか一項に記載のネットワーク機器。
【請求項３８】
前記アップリンク電力制御パラメータは、開ループ電力制御パラメータおよび／または閉ループ電力制御パラメータを含むことを特徴とする、
請求項３３ないし３７のいずれか一項に記載のネットワーク機器。
【請求項３９】
前記第１のアップリンクデータは、前記ＰＵＳＣＨによって搬送されるデータの一部であることを特徴とする、
請求項３３ないし３８のいずれか一項に記載のネットワーク機器。
【請求項４０】
前記ネットワーク機器は、
前記端末機器が前記実際の送信電力に基づいて送信した前記第１のアップリンクデータを受信するように構成される受信ユニットをさらに含むことを特徴とする、
請求項３３ないし３９のいずれか一項に記載のネットワーク機器。
【発明の詳細な説明】
【技術分野】
【０００１】
本出願の実施例は、通信分野に関し、より具体的に、電力制御方法、端末機器およびネットワーク機器に関する。
【背景技術】
【０００２】
ニューラジオ（ＮＲ：Ｎｅｗ  Ｒａｄｉｏ）システムのおいて、端末は、アップリンクデータ伝送のための複数のアンテナアレイブロック（ｐａｎｅｌ）を有することができ、１つのｐａｎｅｌは、１セットの物理アンテナを含み、各ｐａｎｅｌは、独立した無線周波数チャネルを有することができる。端末は、複数のｐａｎｅｌでデータを同時に伝送することができるが、異なるｐａｎｅｌに対応するチャネル条件は異なるため、異なるｐａｎｅｌは、それぞれのチャネル情報に従って、送信電力などの異なる伝送パラメータを使用する必要がある。これらの伝送パラメータを取得するために、異なるｐａｎｅｌに異なるサウンディング参照信号（ＳＲＳ：Ｓｏｕｎｄｉｎｇ  Ｒｅｆｅｒｅｎｃｅ  Ｓｉｇｎａｌ）リソースを構成する必要があり、例えば、１つのｐａｎｅｌは、１つのＳＲＳリソースセットに対応することができ、ネットワーク側は、ＳＲＳリソース指示（ＳＲＩ：ＳＲＳ  Ｒｅｓｏｕｒｃｅ  Ｉｎｄｉｃａｔｏｒ）を介して、１つのＳＲＳリソースセットを指示することができる。ＤＣＩを使用してｐａｎｅｌ上のデータ伝送をスケジューリングすると、１つのＤＣＩは対応するＳＲＩを有し、この場合、端末機器が、前記ＳＲＩに対応するアップリンク伝送の送信電力を決定することが問題である。
【発明の概要】
【発明が解決しようとする課題】
【０００３】
これを鑑みて、本出願の実施例は、電力制御方法、端末機器およびネットワーク機器を提供し、より高いスペクトル効率に達するのに有益である。
【課題を解決するための手段】
【０００４】
第１の態様によれば、電力制御方法を提供し、前記方法は、端末機器が、ネットワーク機器によって送信された、物理アップリンク共有チャネル（ＰＵＳＣＨ）をスケジューリングするために使用されるダウンリンク制御情報（ＤＣＩ）を受信することであって、前記ＤＣＩは、第１のサウンディング参照信号（ＳＲＳ）リソース指示を含むことと、前記端末機器が、前記ＤＣＩに従って、前記第１のＳＲＳリソース指示に対応するアップリンク電力制御パラメータの値を決定することと、前記端末機器が、前記第１のＳＲＳリソース指示に対応するアップリンク電力制御パラメータの値に従って、前記ＰＵＳＣＨによって搬送された、前記第１のＳＲＳリソース指示に対応する第１のアップリンクデータの実際の送信電力を決定することとを含む。
【０００５】
可能な実現形態において、前記端末が前記ＤＣＩを受信する前に、前記方法は、前記端末機器が、前記ネットワーク機器によって送信された第１の構成情報を受信することであって、前記第１の構成情報は、前記第１のＳＲＳリソース指示の値とアップリンク電力制御パラメータの値の対応関係を指示することをさらに含み、前記端末機器が、前記ＤＣＩに従って、前記第１のＳＲＳリソース指示に対応するアップリンク電力制御パラメータの値を決定することは、前記端末機器が、前記ＤＣＩに含まれる前記第１のＳＲＳリソース指示の値、および前記対応関係に従って、前記第１のＳＲＳリソース指示に対応するアップリンク電力制御パラメータの値を決定することを含む。
【０００６】
例示的に、ネットワーク機器は、前記対応関係を構成しなくてもよく、前記対応関係をプロトコルによって合意されてもよい。
【０００７】
例示的に、前記第１のＳＲＳリソース指示は、複数のセットのアップリンク電力制御パラメータの候補値に対応してもよく、端末機器は、前記第１のＳＲＳリソース指示に対応する複数のセットのアップリンク電力制御パラメータの候補値から、１セットのアップリンク電力制御パラメータの値を決定を決定することができる。
【０００８】
可能な実現形態において、前記端末機器が、前記ＤＣＩに従って、前記第１のＳＲＳリソース指示に対応するアップリンク電力制御パラメータの値を決定することは、前記端末機器が、前記ＤＣＩに従って、前記第１のＳＲＳリソース指示に対応する最大送信電力の値を決定することを含み、前記端末機器が、前記アップリンク電力制御パラメータの値に従って、前記ＰＵＳＣＨによって搬送された、前記第１のＳＲＳリソース指示に対応する第１のアップリンクデータの実際の送信電力を決定することは、前記端末機器が、前記第１のＳＲＳリソース指示に対応する最大送信電力の値に従って、前記第１のアップリンクデータの実際の送信電力を決定することを含む。
【０００９】
可能な実現形態において、前記端末機器が、前記ＤＣＩに従って、前記第１のＳＲＳリソース指示に対応する最大送信電力の値を決定することは、前記端末機器が、前記ＤＣＩに含まれるＳＲＳリソース指示の数に従って、前記第１のＳＲＳリソース指示に対応する最大送信電力の値を決定することを含む。
【００１０】
可能な実現形態において、前記端末機器が、前記ＤＣＩに従って、前記第１のＳＲＳリソース指示に対応する最大送信電力の値を決定することは、前記端末機器が、前記ＤＣＩに含まれる前記第１のＳＲＳリソース指示によって指示されたＳＲＳリソースの数に従って、前記第１のＳＲＳリソース指示に対応する最大送信電力の値を決定する。
【００１１】
可能な実現形態において、前記端末機器が、前記第１のＳＲＳリソース指示に対応するアップリンク電力制御パラメータの値に従って、前記ＰＵＳＣＨによって搬送された、前記第１のＳＲＳリソース指示に対応する第１のアップリンクデータの実際の送信電力を決定することは、前記端末機器が、前記第１のＳＲＳリソース指示に対応するアップリンク電力制御パラメータの値に従って、前記第１のアップリンクデータの初期送信電力を決定することと、前記端末機器が、前記第１のアップリンクデータの初期送信電力、前記ＰＵＳＣＨによって搬送されたアップリンクデータの総初期送信電力および前記端末機器のアップリンク最大送信電力に従って、前記第１のアップリンクデータの実際の送信電力を決定することとを含む。
【００１２】
可能な実現形態において、前記ＤＣＩは、第２のＳＲＳリソース指示をさらに含み、前記第１のＳＲＳリソース指示および前記第２のＳＲＳリソース指示は、独立したアップリンク電力制御パラメータの値にそれぞれ対応する。
【００１３】
可能な実現形態において、前記端末がネットワーク機器によって送信された前記ＤＣＩを受信する前に、前記方法は、前記ネットワーク機器によって送信された第２の構成情報を受信することであって、前記第２の構成情報は、前記第２のＳＲＳリソース指示の値に対応するアップリンク電力制御パラメータの値を指示し、ここで、前記第２のＳＲＳリソース指示の値に対応するアップリンク電力制御パラメータの値および前記第１のＳＲＳリソース指示の値に対応するアップリンク電力制御パラメータの値は、前記ネットワーク機器によって独立して構成されることをさらに含む。
【００１４】
可能な実現形態において、前記アップリンク電力制御パラメータは、アップリンクデータの送信電力を決定するために使用されるパスロス値、または前記パスロス値を測定するために使用されるダウンリンク信号の情報を含む。
【００１５】
可能な実現形態において、前記アップリンク電力制御パラメータは、開ループ電力制御パラメータおよび／または閉ループ電力制御パラメータを含む。
【００１６】
可能な実現形態において、前記第１のアップリンクデータは、前記ＰＵＳＣＨによって搬送されるデータの一部である。
【００１７】
可能な実現形態において、前記方法は、前記端末機器が前記実際の送信電力に従って、前記ネットワーク機器に前記第１のアップリンクデータを送信することをさらに含む。
【００１８】
第２の態様によれば、電力制御方法を提供し、前記方法は、端末機器が第１のサウンディング参照信号（ＳＲＳ）リソース指示に対応するアップリンク電力制御パラメータの値に従って、物理アップリンク共有チャネル（ＰＵＳＣＨ）によって搬送された、前記第１のＳＲＳリソース指示に対応する第１のアップリンクデータの実際の送信電力を決定するために、ネットワーク機器が、前記ＰＵＳＣＨをスケジューリングするために使用されるダウンリンク制御情報（ＤＣＩ）を前記端末機器に送信することであって、前記ＤＣＩは、前記第１のＳＲＳリソース指示を含み、前記ＤＣＩは、前記端末機器が前記第１のＳＲＳリソース指示に対応するアップリンク電力制御パラメータの値を決定するために使用されることを含む。
【００１９】
可能な実現形態において、前記ネットワーク機器が前記ＤＣＩを前記端末機器に送信する前に、前記方法は、前記ネットワーク機器が第１の構成情報を前記端末機器に送信することであって、前記第１の構成情報は、前記第１のＳＲＳリソース指示の値とアップリンク電力制御パラメータの値の対応関係を指示することをさらに含む。
【００２０】
可能な実現形態において、前記ＤＣＩは、第２のＳＲＳリソース指示をさらに含み、前記第１のＳＲＳリソース指示および前記第２のＳＲＳリソース指示は、独立したアップリンク電力制御パラメータの値にそれぞれ対応する。
【００２１】
可能な実現形態において、前記ネットワーク機器が前記ＤＣＩを前記端末機器に送信する前に、前記方法は、前記ネットワーク機器が第２の構成情報を前記端末機器に送信することであって、前記第２の構成情報は、前記第２のＳＲＳリソース指示の値に対応するアップリンク電力制御パラメータの値を指示し、ここで、前記第２のＳＲＳリソース指示の値に対応するアップリンク電力制御パラメータの値および前記第１のＳＲＳリソース指示の値に対応するアップリンク電力制御パラメータの値は、前記ネットワーク機器によって独立して構成されることをさらに含む。
【００２２】
可能な実現形態において、前記アップリンク電力制御パラメータは、アップリンクデータの送信電力を決定するために使用されるパスロス値、または前記パスロス値を測定するために使用されるダウンリンク信号の情報を含む。
【００２３】
可能な実現形態において、前記アップリンク電力制御パラメータは、開ループ電力制御パラメータおよび／または閉ループ電力制御パラメータを含む。
【００２４】
可能な実現形態において、前記第１のアップリンクデータは、前記ＰＵＳＣＨによって搬送されるデータの一部である。
【００２５】
可能な実現形態において、前記方法は、前記ネットワーク機器が、前記端末機器が前記実際の送信電力に基づいて送信した前記第１のアップリンクデータを受信することをさらに含む。
【００２６】
第３の態様によれば、前記第１の態様または第１の態様の任意の可能な実現形態における方法を実行するように構成される端末機器を提供する。具体的に、前記端末機器は、前記第１の態様または第１の態様の任意の可能な実現形態における方法を実行するように構成されるユニットを含む。
【００２７】
第４の態様によれば、前記第２の態様または第２の態様の任意の可能な実現形態における方法を実行するように構成されるネットワーク機器を提供する。具体的に、前記ネットワーク機器は、前記第２の態様または第２の態様の任意の可能な実現形態における方法を実行するように構成されるユニットを含む。
【００２８】
第５の態様によれば、端末機器を提供し、前記端末機器は、メモリ、プロセッサ、入力インターフェースおよび出力インターフェースを含む。ここで、メモリ、プロセッサ、入力インターフェースおよび出力インターフェースはバスシステムを介して接続する。前記メモリは、命令を記憶するように構成され、前記プロセッサは、前記メモリによって記憶された命令を実行するように構成され、前記第１の態様または第１の態様の任意の可能な実現形態における方法を実行するように構成される。
【００２９】
第６の態様によれば、ネットワーク機器を提供し、前記ネットワーク機器は、メモリ、プロセッサ、入力インターフェースおよび出力インターフェースを含む。ここで、メモリ、プロセッサ、入力インターフェースおよび出力インターフェースはバスシステムを介して接続する。前記メモリは、命令を記憶するように構成され、前記プロセッサは、前記メモリによって記憶された命令を実行するように構成され、前記第２の態様または第２の態様の任意の可能な実現形態における方法を実行するように構成される。
【００３０】
第７の態様によれば、前記第１の態様または第１の態様の任意の可能な実現形態における方法、または前記第２の態様または第２の態様の任意の可能な実現形態における方法を実行するために使用される、前記各態様を実行するように設計されたプログラムを含むコンピュータソフトウェア命令を記憶するためのコンピュータ記憶媒体を提供する。
【００３１】
第８の態様によれば、コンピュータで実行されると、コンピュータが前記第１の態様または第１の態様のいずれかの例示的な実現形態における方法、または前記第２の態様または第２の態様のいずれかの例示的な実現形態における方法を実行するようにする、命令を含むコンピュータプログラム製品を提供する。
【００３２】
本出願のこれらの態様または他の態様は、以下の実施例の説明において、より簡単明瞭にする。
【図面の簡単な説明】
【００３３】
【図１】本出願の実施例の適用シナリオの概略図を示す。
【図２】本出願の実施例のアップリンク電力制御方法の例示的なブロック図を示す。
【図３】本出願の実施例のアップリンク電力制御方法の別の例示的なブロック図を示す。
【図４】本出願の実施例の端末機器の例示的なブロック図を示す。
【図５】本出願の実施例のネットワーク機器の例示的なブロック図を示す。
【図６】本出願の実施例の端末機器の別の例示的なブロック図を示す。
【図７】本出願の実施例のネットワーク機器の別の例示的なブロック図を示す。
【発明を実施するための形態】
【００３４】
以下、本出願の実施例における技術的解決策を本出願の実施例における図面を参照して明確かつ完全に説明する。
【００３５】
本出願の実施例の技術案は、例えば、グローバル移動通信システム（ＧＳＭ：Ｇｌｏｂａｌ  Ｓｙｓｔｅｍ  ｏｆ  Ｍｏｂｉｌｅ  ｃｏｍｍｕｎｉｃａｔｉｏｎ）、コード分割多重アクセス（ＣＤＭＡ：Ｃｏｄｅ  Ｄｉｖｉｓｉｏｎ  Ｍｕｌｔｉｐｌｅ  Ａｃｃｅｓｓ）システム、広帯域コード分離多重アクセス（ＷＣＤＭＡ：Ｗｉｄｅｂａｎｄ  Ｃｏｄｅ  Ｄｉｖｉｓｉｏｎ  Ｍｕｌｔｉｐｌｅ  Ａｃｃｅｓｓ）システム、汎用パケット無線サービス（ＧＰＲＳ：Ｇｅｎｅｒａｌ  Ｐａｃｋｅｔ  Ｒａｄｉｏ  Ｓｅｒｖｉｃｅ）、ＬＴＥシステム、ＬＴＥ周波数分割複信（ＦＤＤ：Ｆｒｅｑｕｅｎｃｙ  Ｄｉｖｉｓｉｏｎ  Ｄｕｐｌｅｘ）システム、ＬＴＥ時分割二重化（ＴＤＤ：Ｔｉｍｅ  Ｄｉｖｉｓｉｏｎ  Ｄｕｐｌｅｘ）、ユニバーサル移動通信システム（ＵＭＴＳ：Ｕｎｉｖｅｒｓａｌ  Ｍｏｂｉｌｅ  Ｔｅｌｅｃｏｍｍｕｎｉｃａｔｉｏｎ  Ｓｙｓｔｅｍ）、ワイマックス（ＷｉＭＡＸ：Ｗｏｒｌｄｗｉｄｅ  Ｉｎｔｅｒｏｐｅｒａｂｉｌｉｔｙ  ｆｏｒ  Ｍｉｃｒｏｗａｖｅ  Ａｃｃｅｓｓ）通信システム、ニューラジオ（ＮＲ：Ｎｅｗ  Ｒａｄｉｏ）または未来の５Ｇシステムなど、様々な通信システムに適用されることができることを理解されたい。
【００３６】
特に、本出願の実施例の技術案は、例えば、スパースコード多重アクセス（ＳＣＭＡ：Ｓｐａｒｓｅ  Ｃｏｄｅ  Ｍｕｌｔｉｐｌｅ  Ａｃｃｅｓｓ）システム、低密度シグネチャ（ＬＤＳ：Ｌｏｗ  Ｄｅｎｓｉｔｙ  Ｓｉｇｎａｔｕｒｅ）システムなど、非直交多重アクセス技術に基づく様々な通信システムに適用されることができ、もちろん、通信分野では、ＳＣＭＡシステムやＬＤＳシステムは、他の名称で呼ばれることもあり、さらに、本出願の実施例の技術案は、例えば、非直交多重アクセス技術を使用した直交周波数分割多重（ＯＦＤＭ：Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ）、フィルタバンクマルチキャリア（ＦＢＭＣ：Ｆｉｌｔｅｒ  Ｂａｎｋ  Ｍｕｌｔｉ−Ｃａｒｒｉｅｒ）、汎用周波数分割多重（Ｇｅｎｅｒａｌｉｚｅｄ  Ｆｒｅｑｕｅｎｃｙ  Ｄｉｖｉｓｉｏｎ  Ｍｕｌｔｉｐｌｅｘｉｎｇ、ＧＦＤＭ）、フィルタリングされた直交周波数分割多重（Ｆ−ＯＦＤＭ：Ｆｉｌｔｅｒｅｄ−ＯＦＤＭ）システムなど、非直交多重アクセス技術を使用したマルチキャリア伝送システムに適用されることができる。
【００３７】
本出願の実施例における端末機器は、ユーザ機器（ＵＥ：Ｕｓｅｒ  Ｅｑｕｉｐｍｅｎｔ）、アクセス端末、ユーザユニット、ユーザステーション、移動ステーション、移動局、遠隔局、遠隔端末、モバイル機器、ユーザ端末、端末、無線通信デバイス、ユーザエージェント、またはユーザ装置を指し得る。アクセス端末は、携帯電話、コードレス電話、セッション開始プロトコル（ＳＩＰ：Ｓｅｓｓｉｏｎ  Ｉｎｉｔｉａｔｉｏｎ  Ｐｒｏｔｏｃｏｌ）電話、ワイヤレスローカルループ（ＷＬＬ：Ｗｉｒｅｌｅｓｓ  Ｌｏｃａｌ  Ｌｏｏｐ）ステーション、携帯情報端末（ＰＤＡ：Ｐｅｒｓｏｎａｌ  Ｄｉｇｉｔａｌ  Ａｓｓｉｓｔａｎｔ）、無線通信機能を備えたハンドヘルドデバイス、コンピューティングデバイスまたは無線モデムに接続されたその他の処理デバイス、車載デバイス、ウェアラブルデバイスおよび５Ｇネットワークの端末機器または将来進化するＰＬＭＮの端末機器などであってもよく、本出願の実施例は限定されない。
【００３８】
本出願の実施例におけるネットワーク機器は、端末機器と通信する機器であってもよく、前記ネットワーク機器は、ＧＳＭまたはＣＤＭＡの基地局（ＢＴＳ：Ｂａｓｅ  Ｔｒａｎｓｃｅｉｖｅｒ  Ｓｔａｔｉｏｎ）であってもよく、ＷＣＤＭＡシステムの基地局（ＮＢ：ＮｏｄｅＢ）であってもよく、ＬＴＥシステムの進化型基地局（ｅＮＢまたはｅＮｏｄｅＢ：Ｅｖｏｌｕｔｉｏｎａｌ  ＮｏｄｅＢ）であってもよく、クラウド無線アクセスネットワーク（ＣＲＡＮ：Ｃｌｏｕｄ  Ｒａｄｉｏ  Ａｃｃｅｓｓ  Ｎｅｔｗｏｒｋ）シナリオでのワイヤレスコントローラであってもよく、または前記ネットワーク機器は、リレーステーション、アクセスポイント、車載デバイス、ウェアラブルデバイスおよび未来５Ｇネットワークのネットワーク機器または未来進化のＰＬＭＮネットワークのネットワーク機器などであってもよく、本出願の実施例は限定されない。
【００３９】
図１は、本出願の実施例の適用シナリオの概略図である。図１における通信システムは、端末機器１０およびネットワーク機器２０を含み得る。ネットワーク機器２０は、端末機器１０に通信サービスを提供し、コアネットワークにアクセスするように構成され、端末機器１０は、ネットワーク機器２０によって送信された同期信号や放送信号などを検索してネットワークにアクセスし、それにより、ネットワークと通信する。図１で示された矢印は、端末機器１０とネットワーク機器２０との間のセルラリンクを介して実行されるアップリンク伝送／ダウンリンク伝送を示す。
【００４０】
ＮＲシステムにおいて、端末は、アップリンク伝送のための複数のＰａｎｅｌを有することができ、１つのｐａｎｅｌは１セットの物理アンテナを含み、各ｐａｎｅｌは、独立した無線周波数チャネルを有することができる。端末は、複数のｐａｎｅｌでデータを同時に伝送することができるが、異なるｐａｎｅｌに対応するチャネル条件は異なるため、異なるｐａｎｅｌは、それぞれのチャネル情報に従って、送信電力などの異なる伝送パラメータを使用する必要がある。これらの伝送パラメータを取得するために、異なるｐａｎｅｌに異なるＳＲＳリソースを構成する必要があり、例えば、１つのｐａｎｅｌは、１つのＳＲＳリソースセットに対応することができ、ネットワーク側は、ＳＲＳリソース指示（ＳＲＩ：ＳＲＳ  Ｒｅｓｏｕｒｃｅ  Ｉｎｄｉｃａｔｏｒ）を介して、１つのＳＲＳリソースセットを指示することができる。端末は、ＳＲＩまたはＳＲＩによって指示されたＳＲＳリソースに従って、アップリンク伝送に対応する電力制御パラメータを取得し、それにより、アップリンクデータに対応する送信電力を取得することができる。
【００４１】
現在、物理アップリンク共有チャネル（ＰＵＳＣＨ：Ｐｈｙｓｉｃａｌ  Ｕｐｌｉｎｋ  Ｓｈａｒｅｄ  Ｃｈａｎｎｅｌ）の送信電力は、次の式を介して計算することができる。
【数１】
2021514563.tif 000003
【００４２】
2021514563.tif 000004
【００４３】
図２は、本出願の実施例の電力制御方法１００の例示的なブロック図を示す。図２に示されたように、前記方法１００は、次のステップを含む。
【００４４】
ステップＳ１１０において、端末機器は、ネットワーク機器によって送信された、物理アップリンク共有チャネル（ＰＵＳＣＨ）をスケジューリングするために使用されるダウンリンク制御情報（ＤＣＩ）を受信し、前記ＤＣＩは、第１のサウンディング参照信号リソース指示（ＳＲＩ）を含む。
【００４５】
ステップＳ１２０において、前記端末機器は、前記ＤＣＩに従って、前記第１のＳＲＩに対応するアップリンク電力制御パラメータの値を決定する。
【００４６】
ステップＳ１３０において、前記端末機器は、前記第１のＳＲＩに対応するアップリンク電力制御パラメータの値に従って、前記ＰＵＳＣＨによって搬送された、前記第１のＳＲＩに対応する第１のアップリンクデータの実際の送信電力を決定する。
【００４７】
例示的に、前記ダウンリンク制御情報（ＤＣＩ：Ｄｏｗｎｌｉｎｋ  Ｃｏｎｔｒｏｌ  Ｉｎｆｏｒｍａｔｉｏｎ）は第２のＳＲＩをさらに含み得、前記第１のＳＲＩおよび前記第２のＳＲＩは、独立したアップリンク電力制御パラメータの値にそれぞれ対応する。
【００４８】
具体的に、ネットワーク機器は、端末機器に前記第１のＳＲＩおよび前記第２のＳＲＩそれぞれに対応するアップリンク電力制御パラメータの値を事前に構成し、例えば、ネットワーク機器は、ＳＲＩとアップリンク電力制御パラメータの値の対応関係を事前に構成し、ネットワーク機器は、ＰＵＳＣＨをスケジューリングするために使用されるＤＣＩにおいて、前記第１のＳＲＩおよび前記第２のＳＲＩを搬送することができ、それにより、端末機器が前記ＤＣＩに従って各ＳＲＩに対応するアップリンク電力制御パラメータの値を決定することができ、さらに、各ＳＲＩに対応するアップリンクデータの実際の送信電力を決定することができる。例えば、上記の式に基づいて、ネットワーク機器は、上位層シグナリングを介して各ＳＲＩに対応する｛ｊ、ｋ、ｌ｝の値を事前に構成し、異なる値は異なるアップリンク電力制御パラメータの値を取得することができるため、各ＳＲＩは、１セットのアップリンク電力制御パラメータの値に対応することができる。
【００４９】
したがって、本出願の実施例の電力制御方法は、より高いスペクトル効率に達するのに有益である。
【００５０】
例示的に、前記端末が前記ＤＣＩを受信する前に、前記方法は、前記端末機器が、前記ネットワーク機器によって送信された第１の構成情報を受信することであって、前記第１の構成情報は、前記第１のＳＲＩの値とアップリンク電力制御パラメータの値の対応関係を指示することをさらに含み、前記端末機器が、前記ＤＣＩに従って、前記第１のＳＲＩに対応するアップリンク電力制御パラメータの値を決定することは、前記端末機器が、前記ＤＣＩに含まれる前記第１のＳＲＩの値、および前記対応関係に従って、前記第１のＳＲＩに対応するアップリンク電力制御パラメータの値を決定することを含む。
【００５１】
例示的に、前記端末がネットワーク機器によって送信された前記ＤＣＩを受信する前に、前記方法は、前記ネットワーク機器によって送信された第２の構成情報を受信することであって、前記第２の構成情報は、前記第２のＳＲＩの値に対応するアップリンク電力制御パラメータの値を指示し、ここで、前記第２のＳＲＩの値に対応するアップリンク電力制御パラメータの値および前記第１のＳＲＩの値に対応するアップリンク電力制御パラメータの値は、前記ネットワーク機器によって独立して構成されることをさらに含む。
【００５２】
即ち、ネットワーク機器は、端末機器にＳＲＩの値とアップリンク電力制御パラメータの値との間の対応関係を事前に構成し、無線リソース制御（ＲＲＣ：Ｒａｄｉｏ  Ｒｅｓｏｕｒｃｅ  Ｃｏｎｔｒｏｌ）などの上位層シグナリングを介して端末機器に指示することができる。または、前記対応関係をプロトコルによって合意されてもよい。前記対応関係は、ＳＲＩとアップリンク電力制御パラメータの値との間の直接的なマッピング関係であってもよく、間接的なマッピング関係であってもよく、例えば、前記対応関係は、ＳＲＩによって指示されたＳＲＳリソースの数とアップリンク電力制御パラメータの値との間のマッピングであってもよく、本出願の実施例はこれらに対して限定しないことを理解されたい。
【００５３】
例示的に、前記第１のＳＲＩおよび前記第２のＳＲＩは、独立したアップリンク電力制御パラメータ候補値に対応してもよい。例えば、前記第１のＳＲＩおよび前記第２のＳＲＩの両方とも２ｂｉｔｓであり、４つの可能なアップリンク電力制御パラメータの値にそれぞれ対応することができる。前記第１のＳＲＩおよび前記第２のＳＲＩは、ネットワーク側によって独立して構成されることができ、異なる値に構成されてもよく、同じ値に構成されてもよい。
【００５４】
例示的に、前記アップリンク電力制御パラメータは、アップリンクデータの送信電力を決定するために使用されるパスロス値、または前記パスロス値を測定するために使用されるダウンリンク信号の情報を含む。
【００５５】
前記ダウンリンク信号は、ダウンリンク同期信号ブロック（ＳＳＢ：Ｓｙｎｃｈｒｏｎｏｕｓ  Ｓｉｇｎａｌ  Ｂｌｏｃｋ）であってもよく、チャネル状態情報参照信号（ＣＳＩ−ＲＳ：Ｃｈａｎｎｅｌ  Ｓｔａｔｅ  Ｉｎｆｏｒｍａｔｉｏｎ−Ｒｅｆｅｒｅｎｃｅ  Ｓｉｇｎａｌｓ）であってもよい。前記ダウンリンク信号の情報は、ネットワーク側によって事前に構成された複数のダウンリンク参照信号における、上記の式のｋなど、前記パスロス値を測定するために使用される目標ダウンリンク参照信号のインデックスであってもよい。即ち、端末機器は、前記第１のＳＲＩの値に従って、対応する１つのダウンリンク信号のインデックスｋを決定することができ、前記インデックスｋによって指示されたダウンリンク信号に基づいてダウンリンクパスロス測定を実行し、それにより、前記パスロス値を取得する。
【００５６】
例示的に、前記アップリンク電力制御パラメータは、開ループ電力制御パラメータおよび／または閉ループ電力制御パラメータを含む。
【００５７】
具体的に、前記開ループ電力制御パラメータの値は、目標電力Ｐｏの指示情報であってもよく、パスロス係数ａの指示情報であってもよく、閉ループ電力調整函数ｆ（ｉ）の指示情報であってもよい。例えば、前記開ループ電力制御パラメータの値は、上記の式のｊなど、ネットワーク側によって事前に構成された複数の目標功率Ｐｏにおける１つの値のインデックスであってもよく、上記の式のｊなど、ネットワーク側によって事前に構成された複数のパスロス係数ａにおける１つの値のインデックスであってもよく、上記の式のｌなど、閉ループ電力制御のプロセスインデックスであってもよい。
【００５８】
例示的に、前記端末機器が、前記ＤＣＩに従って、前記第１のＳＲＩに対応するアップリンク電力制御パラメータの値を決定することは、前記端末機器が、前記ＤＣＩに従って、前記第１のＳＲＩに対応する最大送信電力の値を決定することを含み、前記端末機器が、前記アップリンク電力制御パラメータの値に従って、前記ＰＵＳＣＨによって搬送された、前記第１のＳＲＩに対応する第１のアップリンクデータの実際の送信電力を決定することは、前記端末機器が、前記第１のＳＲＩに対応する最大送信電力の値に従って、前記第１のアップリンクデータの実際の送信電力を決定することを含む。
【００５９】
端末機器は、前記ＤＣＩに従って、前記ＤＣＩにおける各ＳＲＩに対応する最大送信電力の値を決定することができ、その後、前記各ＳＲＩに対応する最大送信電力の値およびアップリンク送信電力の計算式に従って、前記各ＳＲＩに対応するアップリンクデータの実際の送信電力を決定することができる。
【００６０】
2021514563.tif 000005
【００６１】
2021514563.tif 000006
【００６２】
例示的に、前記端末機器が、前記第１のＳＲＳリソース指示に対応するアップリンク電力制御パラメータの値に従って、前記ＰＵＳＣＨによって搬送された、前記第１のＳＲＳリソース指示に対応する第１のアップリンクデータの実際の送信電力を決定することは、前記端末機器が、前記第１のＳＲＳリソース指示に対応するアップリンク電力制御パラメータの値に従って、前記第１のアップリンクデータの初期送信電力を決定することと、前記端末機器が、前記第１のアップリンクデータの初期送信電力、前記ＰＵＳＣＨによって搬送されたアップリンクデータの総初期送信電力および前記端末機器のアップリンク最大送信電力に従って、前記第１のアップリンクデータの実際の送信電力を決定することとを含む。
【００６３】
2021514563.tif 000007
【００６４】
例示的に、前記第１のアップリンクデータは、前記ＰＵＳＣＨによって搬送されるデータの一部である。
【００６５】
具体的に、前記ＤＣＩは、Ｎ個の伝送層を含むアップリンクデータ伝送をスケジューリングすることができ、前記アップリンクデータは、前記Ｎ（Ｎは０より大きい整数である）個の伝送層におけるＭ（ＭはＮより小さく且つ０より大きい整数であり、通常、Ｍ＝１である）個の伝送層のデータである。前記アップリンクデータが前記ＤＣＩによってスケジューリングされたＰＵＳＣＨによって搬送されたデータの一部であり、例えば、前記ＰＵＳＣＨによって搬送された複数のデータ伝送層における一部のデータ伝送層であると、端末は、前記データの電力制御を実行するために、各伝送される一部のデータのすべてに、対応するＳＲＩを決定する必要がある。例えば、前記ＰＵＳＣＨが２層のデータを搬送して伝送すると、各層のデータに１つのＳＲＩを指示することができ、前記ＰＵＳＣＨが４層のデータを搬送して伝送すると、各２層のデータに１つのＳＲＩを指示することができる。前記アップリンクデータは、前記ＤＣＩによってスケジューリングされたＰＵＳＣＨによって搬送された一部のデータであり、例えば、前記ＰＵＳＣＨによって搬送された複数のデータ伝送層における一部のデータ伝送層であると、端末は、本出願によって提供された技術案に従って、各データ伝送層のすべてにそれぞれの実際の送信電力を決定する必要がある。
【００６６】
例示的に、前記方法は、前記端末機器が前記実際の送信電力に従って、前記ネットワーク機器に前記第１のアップリンクデータを送信することをさらに含む。
【００６７】
もちろん、端末によって計算された実際の送信電力は、実際には、前記アップリンクデータを送信するために使用されると限らず、ＰＵＳＣＨの現在の電力ヘッドルームレポート（ＰＨＲ：Ｐｏｗｅｒ  Ｈｅａｄｒｏｏｍ  Ｒｅｐｏｒｔ）を計算してネットワーク側に報告し、または参考として、他のアップリンク信号の送信電力を計算するために使用されることもできる。例えば、端末は、計算したアップリンクデータの実際の送信電力に、特定のオフセット値を加えたものに従って、ＳＲＳの送信電力を取得することができるが、この場合、アップリンク伝送が実際に存在するとは限らない。
【００６８】
図３は、本出願の実施例の電力制御方法２００の例示的なブロック図である。図３に示されたように、前記方法２００は、次の内容の一部またはすべてを含む。
【００６９】
ステップＳ２１０において、端末機器が第１のサウンディング参照信号リソース指示（ＳＲＩ）に対応するアップリンク電力制御パラメータの値に従って、物理アップリンク共有チャネル（ＰＵＳＣＨ）によって搬送された、前記第１のＳＲＩに対応する第１のアップリンクデータの実際の送信電力を決定するために、ネットワーク機器は、前記ＰＵＳＣＨをスケジューリングするために使用されるダウンリンク制御情報（ＤＣＩ）を前記端末機器に送信し、前記ＤＣＩは、前記第１のＳＲＩを含み、前記ＤＣＩは、前記端末機器が前記第１のＳＲＩに対応するアップリンク電力制御パラメータの値を決定するために使用される。
【００７０】
したがって、本出願の実施例の電力制御方法は、より高いスペクトル効率に達するのに有益である。
【００７１】
例示的に、本出願の実施例において、前記ネットワーク機器が前記ＤＣＩを前記端末機器に送信する前に、前記方法は、前記ネットワーク機器が第１の構成情報を前記端末機器に送信することであって、前記第１の構成情報は、前記第１のＳＲＩの値とアップリンク電力制御パラメータの値の対応関係を指示することをさらに含む。
【００７２】
例示的に、本出願の実施例において、前記ネットワーク機器が前記ＤＣＩを前記端末機器に送信する前に、前記方法は、前記ネットワーク機器が第２の構成情報を前記端末機器に送信することであって、前記第２の構成情報は、前記第２のＳＲＩの値に対応するアップリンク電力制御パラメータの値を指示し、ここで、前記第２のＳＲＩの値に対応するアップリンク電力制御パラメータの値および前記第１のＳＲＩの値に対応するアップリンク電力制御パラメータの値は、前記ネットワーク機器によって独立して構成されることをさらに含む。
【００７３】
例示的に、本出願の実施例において、前記アップリンク電力制御パラメータは、アップリンクデータの送信電力を決定するために使用されるパスロス値、または前記パスロス値を測定するために使用されるダウンリンク信号の情報を含む。
【００７４】
例示的に、本出願の実施例において、前記アップリンク電力制御パラメータは、開ループ電力制御パラメータおよび／または閉ループ電力制御パラメータを含む。
【００７５】
例示的に、本出願の実施例において、前記第１のアップリンクデータは、前記ＰＵＳＣＨによって搬送されるデータの一部である。
【００７６】
例示的に、本出願の実施例において、前記方法は、前記ネットワーク機器が、前記端末機器が前記実際の送信電力に基づいて送信した前記第１のアップリンクデータを受信することをさらに含む。
【００７７】
本明細書における「システム」および「ネットワーク」という用語は、本明細書で常に互換的に使用されることを理解されたい。本明細書における「および／または」という用語は、関連付けられたオブジェクトを説明する単なる関連付けであり、３種類の関係が存在することができることを示し、例えば、Ａおよび／またはＢは、Ａが独立で存在する場合、ＡとＢが同時に存在する場合、Ｂが独立で存在する場合など３つの場合を表す。さらに、本明細書における記号「／」は、一般的に、コンテキストオブジェクトが「または」の関係であることを示す。
【００７８】
ネットワーク機器によって説明されたネットワーク機器と端末機器との間の相互作用および関連特性、機能などは、端末機器の関連特性、機能に対応することを留意されたい。関連内容を前記方法１００で詳細に説明したため、簡潔のために、ここでは繰り返さない。
【００７９】
本出願の様々な実施例において、前記各プロセスの番号の大きさは実行する前後順番を意味せず、各プロセスの実行順番は、その機能と内部論理によって決定されるべきであり、本出願の実施例の実施プロセスに対してあらゆる制限を構成してはならないことも理解されたい。
【００８０】
以上、本願実施例に係る電力制御方法について詳細に説明したが、以下、本願実施例に係る電力制御の装置について、図４ないし図７を参照して説明する。方法の実施例に記載の技術的特徴は、以下の装置の実施例に適用可能である。
【００８１】
図４は、本出願の実施例の端末機器３００の例示的なブロック図を示す。図４に示されたように、前記端末機器３００は、
【００８２】
ネットワーク機器によって送信された物理アップリンク共有チャネル（ＰＵＳＣＨ）をスケジューリングするために使用されるダウンリンク制御情報（ＤＣＩ）を受信するように構成される第１の受信ユニット３１０であって、前記ＤＣＩは、第１のサウンディング参照信号リソース指示（ＳＲＩ）を含む第１の受信ユニット３１０と、
【００８３】
前記ＤＣＩに従って、前記第１のＳＲＩに対応するアップリンク電力制御パラメータの値を決定するように構成される第１の決定ユニット３２０と、
【００８４】
前記第１のＳＲＩに対応するアップリンク電力制御パラメータの値に従って、前記ＰＵＳＣＨによって搬送された、前記第１のＳＲＩに対応する第１のアップリンクデータの実際の送信電力を決定するように構成される第２の決定ユニット３３０とを含む。
【００８５】
したがって、本出願の実施例の端末機器は、より高いスペクトル効率に達するのに有益である。
【００８６】
例示的に、本出願の実施例において、前記端末機器は、前記第１の受信ユニットが前記ＤＣＩを受信する前に、前記ネットワーク機器によって送信された第１の構成情報を受信するように構成される第２の受信ユニットであって、前記第１の構成情報は、前記第１のＳＲＩの値とアップリンク電力制御パラメータの値の対応関係を指示する第２の受信ユニットをさらに含む。
【００８７】
前記第１の決定ユニットは、具体的に、前記ＤＣＩに含まれる前記第１のＳＲＩの値、および前記対応関係に従って、前記第１のＳＲＩに対応するアップリンク電力制御パラメータの値を決定するように構成される。
【００８８】
例示的に、本出願の実施例において、前記第１の決定ユニットは、具体的に、前記ＤＣＩに従って、前記第１のＳＲＩに対応する最大送信電力の値を決定するように構成される。
【００８９】
前記第２の決定ユニットは、具体的に、前記第１のＳＲＩに対応する最大送信電力の値に従って、前記第１のアップリンクデータの実際の送信電力を決定するように構成される。
【００９０】
例示的に、本出願の実施例において、前記第１の決定ユニットは、具体的に、据前記ＤＣＩに含まれるＳＲＩの数に従って、前記第１のＳＲＩに対応する最大送信電力の値を決定するように構成される。
【００９１】
例示的に、本出願の実施例において、前記第１の決定ユニットは、具体的に、前記ＤＣＩに含まれる、前記第１のＳＲＩによって指示されたＳＲＳリソースの数に従って、前記第１のＳＲＩに対応する最大送信電力の値を決定するように構成される。
【００９２】
例示的に、本出願の実施例において、前記第２の決定ユニットは、具体的に、前記第１のＳＲＩに対応するアップリンク電力制御パラメータの値に従って、前記第１のアップリンクデータの初期送信電力を決定し、前記第１のアップリンクデータの初期送信電力、前記ＰＵＳＣＨによって搬送されたアップリンクデータの総初期送信電力および前記端末機器のアップリンク最大送信電力に従って、前記第１のアップリンクデータの実際の送信電力を決定するように構成される。
【００９３】
例示的に、本出願の実施例において、前記ＤＣＩは第２のＳＲＩをさらに含み、前記第１のＳＲＩおよび前記第２のＳＲＩは、独立したアップリンク電力制御パラメータの値にそれぞれ対応する。
【００９４】
例示的に、本出願の実施例において、前記端末機器は、前記第１の受信ユニットが前記ＤＣＩを受信する前に、前記ネットワーク機器によって送信された第２の構成情報を受信するように構成される第３の受信ユニットであって、前記第２の構成情報は、前記第２のＳＲＩの値に対応するアップリンク電力制御パラメータの値を指示し、ここで、前記第２のＳＲＩの値に対応するアップリンク電力制御パラメータの値および前記第１のＳＲＩの値に対応するアップリンク電力制御パラメータの値は、前記ネットワーク機器によって独立して構成される第３の受信ユニットをさらに含む。
【００９５】
例示的に、本出願の実施例において、前記アップリンク電力制御パラメータは、アップリンクデータの送信電力を決定するために使用されるパスロス値、または前記パスロス値を測定するために使用されるダウンリンク信号の情報を含む。
【００９６】
例示的に、本出願の実施例において、前記アップリンク電力制御パラメータは、開ループ電力制御パラメータおよび／または閉ループ電力制御パラメータを含む。
【００９７】
例示的に、本出願の実施例において、前記第１のアップリンクデータは、前記ＰＵＳＣＨによって搬送されるデータの一部である。
【００９８】
例示的に、本出願の実施例において、前記端末機器は、前記実際の送信電力に従って、前記ネットワーク機器に前記第１のアップリンクデータを送信するように構成される送信ユニットをさらに含む。
【００９９】
本出願の実施例の端末機器３００は、本出願の方法の実施例における端末機器に対応されることができ、そして端末機器３００における各ユニットの前記操作および他の操作および／または機能は、それぞれ図２の方法における端末機器の対応するプロセスを実現するためであり、簡潔性のために、ここでは繰り返さないことを理解されたい。
【０１００】
図５は、本出願の実施例のネットワーク機器４００の例示的なブロック図を示す。図５に示されたように、前記ネットワーク機器４００は、
【０１０１】
端末機器が前記第１のサウンディング参照信号リソース指示（ＳＲＩ）に対応するアップリンク電力制御パラメータの値に従って、物理アップリンク共有チャネル（ＰＵＳＣＨ）によって搬送された、前記第１のＳＲＩに対応する第１のアップリンクデータの実際の送信電力を決定するために、前記ＰＵＳＣＨをスケジューリングするために使用されるダウンリンク制御情報（ＤＣＩ）を前記端末機器に送信するように構成される第１の送信ユニット４１０であって、前記ＤＣＩは、第１のＳＲＩを含み、前記ＤＣＩは、前記端末機器が前記第１のＳＲＩに対応するアップリンク電力制御パラメータの値を決定するために使用される第１の送信ユニット４１０を含む。
【０１０２】
したがって、本出願の実施例の端末機器は、より高いスペクトル効率に達するのに有益である。
【０１０３】
例示的に、本出願の実施例において、前記ネットワーク機器は、前記第１の送信ユニットが前記ＤＣＩを送信する前に、第１の構成情報を前記端末機器に送信するように構成される第２の送信ユニットであって、前記第１の構成情報は、前記第１のＳＲＩの値とアップリンク電力制御パラメータの値の対応関係を指示する第２の送信ユニットをさらに含む。
【０１０４】
例示的に、本出願の実施例において、前記ＤＣＩは第２のＳＲＩをさらに含み、前記第１のＳＲＩおよび前記第２のＳＲＩは、独立したアップリンク電力制御パラメータの値にそれぞれ対応する。
【０１０５】
例示的に、本出願の実施例において、前記ネットワーク機器は、前記第１の送信ユニットが前記ＤＣＩを送信する前に、第２の構成情報を前記端末機器に送信するように構成される第３の送信ユニットであって、前記第２の構成情報は、前記第２のＳＲＩの値に対応するアップリンク電力制御パラメータの値を指示し、前記第２のＳＲＩの値に対応するアップリンク電力制御パラメータの値および前記第１のＳＲＩの値に対応するアップリンク電力制御パラメータの値は、前記ネットワーク機器によって独立して構成される第３の送信ユニットをさらに含む。
【０１０６】
例示的に、本出願の実施例において、前記アップリンク電力制御パラメータは、アップリンクデータの送信電力を決定するために使用されるパスロス値、または前記パスロス値を測定するために使用されるダウンリンク信号の情報を含む。
【０１０７】
例示的に、本出願の実施例において、前記アップリンク電力制御パラメータは、開ループ電力制御パラメータおよび／または閉ループ電力制御パラメータを含む。
【０１０８】
例示的に、本出願の実施例において、前記第１のアップリンクデータは、前記ＰＵＳＣＨによって搬送されるデータの一部である。
【０１０９】
例示的に、本出願の実施例において、前記ネットワーク機器は、端末機器が前記実際の送信電力に基づいて送信した前記第１のアップリンクデータを受信するように構成される受信ユニットをさらに含む。
【０１１０】
本出願の実施例のネットワーク機器４００は、本出願の方法の実施例におけるネットワーク機器に対応されることができ、そしてネットワーク機器４００における各ユニットの前記操作および他の操作および／または機能は、それぞれ図３の方法におけるネットワーク機器の対応するプロセスを実現するためであり、簡潔性のために、ここでは繰り返さないことを理解されたい。
【０１１１】
図６に示されたように、本出願の実施例は、端末機器５００をさらに提供し、前記端末機器５００は、図２の方法１００に対応する端末機器のコンテンツを実行するように構成されることができる図４における端末機器３００であってもよい。前記端末機器５００は、入力インターフェース５１０、出力インターフェース５２０、プロセッサ５３０およびメモリ５４０を含み、前記入力インターフェース５１０、出力インターフェース５２０、プロセッサ５３０およびメモリ５４０はバスシステムを介して接続する。前記メモリ５４０はプログラム、命令またはコードを記憶するように構成される。前記プロセッサ５３０は、入力インターフェース５１０が信号を受信するように制御し、出力インターフェース５２０が信号を送信するように制御しおよび前記方法の実施例の動作を完了するために、前記メモリ５４０のプログラム、命令またはコードを実行するように構成される。
【０１１２】
したがって、本出願の実施例の端末機器は、より高いスペクトル効率に達するのに有益である。
【０１１３】
本出願の実施例において、前記プロセッサ５３０は、中央処理装置（ＣＰＵ：Ｃｅｎｔｒａｌ  Ｐｒｏｃｅｓｓｉｎｇ  Ｕｎｉｔ）であってもよく、前記プロセッサ５３０は、他の汎用プロセッサ、デジタル信号プロセッサ（ＤＳＰ：Ｄｉｇｉｔａｌ  Ｓｉｇｎａｌ  Ｐｒｏｃｅｓｓｏｒ）、特定用途向け集積回路（ＡＳＩＣ：Ａｐｐｌｉｃａｔｉｏｎ  Ｓｐｅｃｉｆｉｃ  Ｉｎｔｅｇｒａｔｅｄ  Ｃｉｒｃｕｉｔ）、フィールドプログラマブルゲートアレイ（ＦＰＧＡ：Ｆｉｅｌｄ  Ｐｒｏｇｒａｍｍａｂｌｅ  Ｇａｔｅ  Ａｒｒａｙ）または他のプログラマブルロジックデバイス、ディスクリートゲートまたはトランジスタロジックデバイス、ディスクリートハードウェアデバイスなどであってもよいことを理解されたい。汎用プロセッサは、マイクロプロセッサであってもよく、または前記プロセッサは任意の従来のプロセッサなどであってもよい。
【０１１４】
前記メモリ５４０は、読み取り専用メモリおよびランダムアクセスメモリを含むことができ、プロセッサ５３０に命令およびデータを提供する。メモリ５４０の一部は、不揮発性ランダムアクセスメモリを含むこともできる。例えば、メモリ５４０は、さらに機器のタイプの情報を記憶することもできる。
【０１１５】
実現プロセスにおいて、前記方法の各内容は、プロセッサ６３０内のハードウェアの集積論理回路またはソフトウェアの形によって完成することができる。本出願の実施例と組み合わせて開示される方法の内容は、ハードウェアプロセッサに直接に具現されて実行し、またはプロセッサ内のハードウェアおよびソフトウェアモジュールの組み合わせによって実行して完了されてもよい。ソフトウェアモジュールは、ランダムメモリ、フラッシュメモリ、読み取り専用メモリ、プログラマブル読み取り専用メモリまたは電気的に消去可能なプログラマブルメモリ、レジスタなど従来の記憶媒体に配置されることができる。前記記憶媒体は、メモリ５４０に配置され、プロセッサ５３０は、メモリ５４０の情報を読み取り、そのハードウェアに結合して前記方法の内容を完成する。繰り返しを避けるため、ここでは詳しく説明しない。
【０１１６】
一具体的な実施形態において、端末機器３００における第１の決定ユニットおよび第２の決定ユニットは、図６におけるプロセッサ５３０によって実現されることができ、端末機器３００の送信ユニットは、図６における出力インターフェース５２０によって実現されることができ、端末機器３００の第１の受信ユニット、第２の受信ユニットおよび第３の受信ユニットは、図６における入力インターフェース５１０によって実現されることができる。
【０１１７】
図７に示されたように、本出願の実施例は、ネットワーク機器６００をさらに提供し、前記ネットワーク機器６００は、図３の方法２００に対応するネットワーク機器のコンテンツを実行するように構成されることができる、図５におけるネットワーク機器４００であってもよい。前記ネットワーク機器６００は、入力インターフェース６１０、出力インターフェース６２０、プロセッサ６３０およびメモリ６４０を含み、前記入力インターフェース６１０、出力インターフェース６２０、プロセッサ６３０およびメモリ６４０はバスシステムを介して接続する。前記メモリ６４０はプログラム、命令またはコードを記憶するように構成される。前記プロセッサ６３０は、入力インターフェース６１０が信号を受信するように制御し、出力インターフェース６２０が信号を送信するように制御しおよび前記方法の実施例の動作を完了するために、前記メモリ６４０のプログラム、命令またはコードを実行するように構成される。
【０１１８】
したがって、本出願の実施例のネットワーク機器は、より高いスペクトル効率に達するのに有益である。
【０１１９】
本出願の実施例において、前記プロセッサ６３０は、中央処理装置（ＣＰＵ：Ｃｅｎｔｒａｌ  Ｐｒｏｃｅｓｓｉｎｇ  Ｕｎｉｔ）であってもよく、前記プロセッサ６３０は、他の汎用プロセッサ、デジタル信号プロセッサ（ＤＳＰ：Ｄｉｇｉｔａｌ  Ｓｉｇｎａｌ  Ｐｒｏｃｅｓｓｏｒ）、特定用途向け集積回路（ＡＳＩＣ：Ａｐｐｌｉｃａｔｉｏｎ  Ｓｐｅｃｉｆｉｃ  Ｉｎｔｅｇｒａｔｅｄ  Ｃｉｒｃｕｉｔ）、フィールドプログラマブルゲートアレイ（ＦＰＧＡ：Ｆｉｅｌｄ  Ｐｒｏｇｒａｍｍａｂｌｅ  Ｇａｔｅ  Ａｒｒａｙ）または他のプログラマブルロジックデバイス、ディスクリートゲートまたはトランジスタロジックデバイス、ディスクリートハードウェアデバイスなどであってもよいことを理解されたい。汎用プロセッサは、マイクロプロセッサであってもよく、または前記プロセッサは、任意の従来のプロセッサなどであってもよい。
【０１２０】
前記メモリ６４０は、読み取り専用メモリおよびランダムアクセスメモリを含むことができ、プロセッサ６３０に命令およびデータを提供する。メモリ６４０の一部は、不揮発性ランダムアクセスメモリを含むこともできる。例えば、メモリ６４０は、さらに機器のタイプの情報を記憶することもできる。
【０１２１】
実現プロセスにおいて、前記方法の各内容は、プロセッサ６３０内のハードウェアの集積論理回路またはソフトウェアの形によって完成することができる。本出願の実施例と組み合わせて開示される方法の内容は、ハードウェアプロセッサに直接に具現されて実行し、またはプロセッサ内のハードウェアおよびソフトウェアモジュールの組み合わせによって実行して完了されてもよい。ソフトウェアモジュールは、ランダムメモリ、フラッシュメモリ、読み取り専用メモリ、プログラマブル読み取り専用メモリまたは電気的に消去可能なプログラマブルメモリ、レジスタなど従来の記憶媒体に配置されることができる。前記記憶媒体は、メモリ６４０に配置され、プロセッサ６３０は、メモリ６４０の情報を読み取り、そのハードウェアに結合して前記方法の内容を完成する。繰り返しを避けるため、ここでは詳しく説明しない。
【０１２２】
一具体的な実施形態において、ネットワーク機器４００における第１の送信ユニット、第２の送信ユニットおよび第３の送信ユニットは、図７における出力インターフェース６２０によって実現されることができ、ネットワーク機器４００における受信ユニットは、図７における入力インターフェース６１０によって実現されることができる。
【０１２３】
当業者は、本明細書で開示される実施例と組み合わせて説明された各例示のユニットおよびアルゴリズムステップは、電子ハードウェア、またはコンピュータソフトウェアと電子ハードウェアの組み合わせによって実現することができることを理解するであろう。これらの機能がハードウェアの形態で実行されるかソフトウェアの形で実行されるかは、技術的解決策の特定のアプリケーションと設計上の制約条件に依存する。専門技術者は、特定のアプリケーションごとに対して、異なる方法を使用して説明された機能を実現することができるが、このような実現は本出願の範囲を超えると見なされるべきではない。
【０１２４】
当業者は、説明の便宜上および簡潔にするために、上記に説明されたシステム、装置およびユニットの具体的な作業プロセスは、前述方法の実施例における対応するプロセスを参照することができることを明確に理解することができ、ここでは繰り返さない。
【０１２５】
本出願によって提供されるいくつかの実施例では、開示されたシステム、装置および方法は、他の方法を通じて実現され得ることを理解されたい。例えば、上記で説明された装置の実施例は例示的なものに過ぎず、例えば、前記ユニットの分離は、論理機能の分離に過ぎず、実際の実現時には別の分離方法があり、例えば、複数のユニットまたはコンポーネントを別のシステムに統合または集積したり、または一部の特徴を無視したり、または実行しないことができる。なお、表示または議論された相互結合または直接結合または通信接続は、電気的、機械的または他の形態の一部のインターフェース、装置またはユニットを介した関節結合または通信接続であり得る。
【０１２６】
前記分離部材として説明されたユニットは、物理的に分離されている場合とされていない場合があり、ユニットとして表示された部材は、物理ユニットである場合もそうでない場合もあり、１箇所に配置される場合もあれば、複数のネットワークユニットに分散される場合もある。実際のニーズにしたがって、その中のユニットの一部または全部を選択して本実施例の技術案の目的を実現することができる。
【０１２７】
さらに、本出願の各実施例における各機能ユニットは、１つの処理ユニットに統合されてもよく、各ユニットが物理的に別個に存在してもよく、２つまたは２つ以上のユニットが１つのユニットに統合されてもよい。
【０１２８】
前記機能がソフトウェア機能ユニットの形で実現され、独立した製品として販売または使用される場合、コンピュータ読み取り可能な記憶媒体に記憶することができる。このような理解に基づいて、本出願の技術的解決策は、本質的にまたは先行技術に対して寄与する部分または前記技術的解決策の一部は、ソフトウェア製品の形で具現されることができ、前記コンピュータソフトウェア製品は、１つの記憶媒体に記憶され、１台のコンピュータ機器（パーソナルコンピュータ、サーバ、またはネットワーク機器等であり得る）に本出願の各実施例のすべてまたは一部のステップを実行させるためのいくつかの命令を含む。前述した記憶媒体は、Ｕディスク、モバイルハードディスク、読み取り専用メモリ（ＲＯＭ：Ｒｅａｄ−Ｏｎｌｙ  Ｍｅｍｏｒｙ）、ランダムアクセスメモリ（ＲＡＭ：Ｒａｎｄｏｍ  Ａｃｃｅｓｓ  Ｍｅｍｏｒｙ）、磁気ディスクまたは光ディスク等のプログラムコードを記憶することができる様々な媒体を含む。
【０１２９】
上記の内容は、本出願の具体的な実施形態に過ぎないが、本出願の保護範囲はこれに限定されず、当業者は、本出願に開示された技術的範囲内で容易に想到し得る変更または置換は、すべて本出願の保護範囲内に含まれるべきである。したがって、本出願の保護範囲は、特許請求の範囲の保護範囲に従うものとする。
【図１】
2021514563.tif 000008
【図２】
2021514563.tif 000009
【図３】
2021514563.tif 000010
【図４】
2021514563.tif 000011
【図５】
2021514563.tif 000012
【図６】
2021514563.tif 000013
【図７】
2021514563.tif 000014
【手続補正書】
【提出日】令和2年12月7日(2020.12.7)
【手続補正１】
【補正対象書類名】特許請求の範囲
【補正対象項目名】全文
【補正方法】変更
【補正の内容】
【特許請求の範囲】
【請求項１】
電力制御方法であって、
端末機器が、ネットワーク機器によって送信された、物理アップリンク共有チャネル（ＰＵＳＣＨ）をスケジューリングするために使用されるダウンリンク制御情報（ＤＣＩ）を受信することであって、前記ＤＣＩは、第１のサウンディング参照信号（ＳＲＳ）リソース指示を含むことと、
前記端末機器が、前記ＤＣＩに従って、前記第１のＳＲＳリソース指示に対応するアップリンク電力制御パラメータの値を決定することと、
前記端末機器が、前記第１のＳＲＳリソース指示に対応するアップリンク電力制御パラメータの値に従って、前記ＰＵＳＣＨによって搬送された、前記第１のＳＲＳリソース指示に対応する第１のアップリンクデータの実際の送信電力を決定することとを含むことを特徴とする、前記電力制御方法。
【請求項２】
前記端末機器が前記ＤＣＩを受信する前に、前記方法は、
前記端末機器が、前記ネットワーク機器によって送信された第１の構成情報を受信することであって、前記第１の構成情報は、前記第１のＳＲＳリソース指示の値とアップリンク電力制御パラメータの値の対応関係を指示することをさらに含み、
前記端末機器が、前記ＤＣＩに従って、前記第１のＳＲＳリソース指示に対応するアップリンク電力制御パラメータの値を決定することは、
前記端末機器が、前記ＤＣＩに含まれる前記第１のＳＲＳリソース指示の値、および前記対応関係に従って、前記第１のＳＲＳリソース指示に対応するアップリンク電力制御パラメータの値を決定することを含むことを特徴とする、
請求項１に記載の電力制御方法。
【請求項３】
前記端末機器が、前記ＤＣＩに従って、前記第１のＳＲＳリソース指示に対応するアップリンク電力制御パラメータの値を決定することは、
前記端末機器が、前記ＤＣＩに従って、前記第１のＳＲＳリソース指示に対応する最大送信電力の値を決定することを含み、
前記端末機器が、前記アップリンク電力制御パラメータの値に従って、前記ＰＵＳＣＨによって搬送された、前記第１のＳＲＳリソース指示に対応する第１のアップリンクデータの実際の送信電力を決定することは、
前記端末機器が、前記第１のＳＲＳリソース指示に対応する最大送信電力の値に従って、前記第１のアップリンクデータの実際の送信電力を決定することを含むことを特徴とする、
請求項１に記載の電力制御方法。
【請求項４】
前記端末機器が、前記ＤＣＩに従って、前記第１のＳＲＳリソース指示に対応する最大送信電力の値を決定することは、
前記端末機器が、前記ＤＣＩに含まれるＳＲＳリソース指示の数に従って、前記第１のＳＲＳリソース指示に対応する最大送信電力の値を決定すること、または、
前記端末機器が、前記ＤＣＩに含まれる前記第１のＳＲＳリソース指示によって指示されたＳＲＳリソースの数に従って、前記第１のＳＲＳリソース指示に対応する最大送信電力の値を決定することを含むことを特徴とする、
請求項３に記載の電力制御方法。
【請求項５】
前記端末機器が、前記第１のＳＲＳリソース指示に対応するアップリンク電力制御パラメータの値に従って、前記ＰＵＳＣＨによって搬送された、前記第１のＳＲＳリソース指示に対応する第１のアップリンクデータの実際の送信電力を決定することは、
前記端末機器が、前記第１のＳＲＳリソース指示に対応するアップリンク電力制御パラメータの値に従って、前記第１のアップリンクデータの初期送信電力を決定することと、
前記端末機器が、前記第１のアップリンクデータの初期送信電力、前記ＰＵＳＣＨによって搬送されたアップリンクデータの総初期送信電力および前記端末機器のアップリンク最大送信電力に従って、前記第１のアップリンクデータの実際の送信電力を決定することとを含むことを特徴とする、
請求項１または２に記載の電力制御方法。
【請求項６】
前記ＤＣＩは、第２のＳＲＳリソース指示をさらに含み、前記第１のＳＲＳリソース指示および前記第２のＳＲＳリソース指示は、独立したアップリンク電力制御パラメータの値にそれぞれ対応することを特徴とする、
請求項１ないし５のいずれか一項に記載の電力制御方法。
【請求項７】
前記端末機器がネットワーク機器によって送信された前記ＤＣＩを受信する前に、前記方法は、
前記端末機器が、前記ネットワーク機器によって送信された第２の構成情報を受信することであって、前記第２の構成情報は、前記第２のＳＲＳリソース指示の値に対応するアップリンク電力制御パラメータの値を指示し、前記第２のＳＲＳリソース指示の値に対応するアップリンク電力制御パラメータの値および前記第１のＳＲＳリソース指示の値に対応するアップリンク電力制御パラメータの値は、前記ネットワーク機器によって独立して構成されることをさらに含むことを特徴とする、
請求項６に記載の電力制御方法。
【請求項８】
前記第１のアップリンクデータは、前記ＰＵＳＣＨによって搬送されるデータの一部であることを特徴とする、
請求項１ないし７のいずれか一項に記載の電力制御方法。
【請求項９】
端末機器であって、
ネットワーク機器によって送信された物理アップリンク共有チャネル（ＰＵＳＣＨ）をスケジューリングするために使用されるダウンリンク制御情報（ＤＣＩ）を受信するように構成される第１の受信ユニットであって、前記ＤＣＩは、第１のサウンディング参照信号（ＳＲＳ）リソース指示を含む第１の受信ユニットと、
前記ＤＣＩに従って、前記第１のＳＲＳリソース指示に対応するアップリンク電力制御パラメータの値を決定するように構成される第１の決定ユニットと、
前記第１のＳＲＳリソース指示に対応するアップリンク電力制御パラメータの値に従って、前記ＰＵＳＣＨによって搬送された、前記第１のＳＲＳリソース指示に対応する第１のアップリンクデータの実際の送信電力を決定するように構成される第２の決定ユニットとを含むことを特徴とする、前記端末機器。
【請求項１０】
前記端末機器は、
前記第１の受信ユニットが前記ＤＣＩを受信する前に、前記ネットワーク機器によって送信された第１の構成情報を受信するように構成される第２の受信ユニットであって、前記第１の構成情報は、前記第１のＳＲＳリソース指示の値とアップリンク電力制御パラメータの値の対応関係を指示する第２の受信ユニットをさらに含み、
前記第１の決定ユニットは、具体的に、
前記ＤＣＩに含まれる前記第１のＳＲＳリソース指示の値、および前記対応関係に従って、前記第１のＳＲＳリソース指示に対応するアップリンク電力制御パラメータの値を決定するように構成されることを特徴とする、
請求項９に記載の端末機器。
【請求項１１】
前記第１の決定ユニットは、具体的に、
前記ＤＣＩに従って、前記第１のＳＲＳリソース指示に対応する最大送信電力の値を決定するように構成され、
前記第２の決定ユニットは、具体的に、
前記第１のＳＲＳリソース指示に対応する最大送信電力の値に従って、前記第１のアップリンクデータの実際の送信電力を決定するように構成されることを特徴とする、
請求項９に記載の端末機器。
【請求項１２】
前記第１の決定ユニットは、具体的に、
前記ＤＣＩに含まれるＳＲＳリソース指示の数に従って、前記第１のＳＲＳリソース指示に対応する最大送信電力の値を決定するように構成され、または、
前記ＤＣＩに含まれる前記第１のＳＲＳリソース指示によって指示されたＳＲＳリソースの数に従って、前記第１のＳＲＳリソース指示に対応する最大送信電力の値を決定するように構成されることを特徴とする、
請求項１１に記載の端末機器。
【請求項１３】
前記第２の決定ユニットは、具体的に、
前記第１のＳＲＳリソース指示に対応するアップリンク電力制御パラメータの値に従って、前記第１のアップリンクデータの初期送信電力を決定し、
前記第１のアップリンクデータの初期送信電力、前記ＰＵＳＣＨによって搬送されたアップリンクデータの総初期送信電力および前記端末機器のアップリンク最大送信電力に従って、前記第１のアップリンクデータの実際の送信電力を決定するように構成されることを特徴とする、
請求項９または１０に記載の端末機器。
【請求項１４】
前記ＤＣＩは、第２のＳＲＳリソース指示をさらに含み、前記第１のＳＲＳリソース指示および前記第２のＳＲＳリソース指示は、独立したアップリンク電力制御パラメータの値にそれぞれ対応することを特徴とする、
請求項９ないし１３のいずれか一項に記載の端末機器。
【請求項１５】
前記端末機器は、
前記第１の受信ユニットが前記ＤＣＩを受信する前に、前記ネットワーク機器によって送信された第２の構成情報を受信するように構成される第３の受信ユニットであって、前記第２の構成情報は、前記第２のＳＲＳリソース指示の値に対応するアップリンク電力制御パラメータの値を指示し、前記第２のＳＲＳリソース指示の値に対応するアップリンク電力制御パラメータの値および前記第１のＳＲＳリソース指示の値に対応するアップリンク電力制御パラメータの値は、前記ネットワーク機器によって独立して構成される第３の受信ユニットをさらに含むことを特徴とする、
請求項１４に記載の端末機器。
【請求項１６】
前記第１のアップリンクデータは、前記ＰＵＳＣＨによって搬送されるデータの一部であることを特徴とする、
請求項９ないし１５のいずれか一項に記載の端末機器。
【国際調査報告】
2021514563.tif 000015
2021514563.tif 000016
2021514563.tif 000017
2021514563.tif 000018